(57)【要約】      （修正有）【課題】彫刻制作などの技術がなくとも、容易に制作が可能で、しかも制作された場合に他とは異なる美感を発揮させる。【解決手段】基材１は、トカゲを模して塑像を作成し、その塑像に基づいて金型などで雌型を作成し、その雌型を用いて合成樹脂により作成する。その内部にも合成樹脂がある中実のものでも、中空であってもよく、その場合、その大きさに応じて適宜補強材をその内部に備えるものであってよい。また、トカゲの目に対応する特定の部分１ｂは、表面材としてのタイル２とは異なるタイルを貼り付けるかもしくは塗料により着色できるように形成してある。基材１の表面１ａは、例えば酢酸ビニル系の接着剤が付着し易い状態であれば、その表面荒さは限定されない。基材１の表面１ａの色は、目地が目立たないように、比較的くすんだ色が好ましく、例えば灰色にしてある。【選択図】図２
0003106437.tif 000002
【実用新案登録請求の範囲】
【請求項１】
立体の基材の表面に彩色された複数の表面材をほぼ全域にわたって貼り付けてなる像。
【請求項２】
基材が、その表面に表面材を貼り付ける位置を特定する少なくとも一つの位置指定手段を備える請求項１記載の像。
【請求項３】
位置指定手段が、位置を設定する囲み部である請求項２記載の像。
【請求項４】
位置指定手段が、位置を設定する線である請求項２記載の像。
【請求項５】
基材が、合成樹脂製である請求項１から４いずれかに記載の像。
【請求項６】
基材が、木製である請求項１から４いずれかに記載の像。
【請求項７】
基材が、金属製である請求項１から４いずれかに記載の像。
【請求項８】
基材が、ガラス製である請求項１から４いずれかに記載の像。
【請求項９】
複数の表面材が、色の異なる複数のタイルを含んで構成される請求項１から８いずれかに記載の像。
【請求項１０】
複数のタイルが、合成樹脂製で異なる形状のものを含んで構成される請求項９記載の像。
【請求項１１】
複数のタイルが、陶磁器製で異なる形状のものを含んで構成される請求項９記載の像。
【請求項１２】
複数のタイルが、ガラス製で異なる形状のものを含んで構成される請求項９記載の像。
【請求項１３】
複数の表面材が、色の異なる複数の薄片を含んで構成される請求項１から８いずれかに記載の像。
【請求項１４】
複数の薄片が、可撓性を有する合成樹脂フィルム製で異なる形状のものを含んで構成される請求項１３記載の像。
【請求項１５】
基材に貼り付けられた表面材を透明な被覆材により被覆してなる請求項１から１４いずれかに記載の像。
【請求項１６】
被覆材が、塗布した後に硬化することにより形成される薄膜である請求項１５記載の像。
【考案の詳細な説明】
【技術分野】
【０００１】
本考案は、立体の表面にタイルなどの表面材が貼り付けられてなる像に関するものである。
【背景技術】
【０００２】
従来、人間や、人間の顔、あるいは動物などの像は、塑像あるいは彫像により造形している。このような塑像や彫像では、一体一体を作ることでそれぞれの像に異なる美感を与えている。その一方で、彫刻や塑造により像を作る場合、それらに対する相応の技術が必要になり、素養を持たない人にとっては、製作意欲はあっても実現には至らない場合がある。
【０００３】
そこで、大量に生産することができる部品を組み合わせて、極めて簡便に像を制作することができる彫刻が考案されている。例えば、特許文献１のものでは、人の胸像は、目、鼻、耳、頭髪などの部分の造形されていない頭部と胸部とからなる基本体に、目、鼻、耳などを形取った部品を、基本体の顔の部分に接着剤により接着し、その後接着剤を浸漬した韓紙により被覆して制作している。完成した像は、基本体が同じであるにもかかわらず、異なる美感を備えている。
【特許文献１】特開昭５６−１３８０００号公報
【考案の開示】
【考案が解決しようとする課題】
【０００４】
ところが、このような構成のものであると、胸像の基本体及び目や鼻などの基本形及び各部品については既に造形されているので、比較的簡単に制作できるように見えるが、目や鼻の位置がずれると顔のバランスが狂うので、それらに対する正確な位置合わせが必要となった。そのため、このような位置合わせについては、熟練を有するものであった。また、例えば目の傾きを変えることにより、異なる美感を表すことは可能ではあるが、大きくは変えられるものではなかった。
【０００５】
そこで本考案は、以上のような問題に鑑みて、容易に制作できて、しかも美感が異なる像を提供しようとするものである。
【課題を解決するための手段】
【０００６】
すなわち、本考案の像は、立体の基材の表面に彩色された複数の表面材をほぼ全域にわたって貼り付けてなることを特徴とする。
【０００７】
本考案の像は、その形状が抽象的であっても具象的であってもよく、大きさについても限定されるものではない。
【０００８】
本考案における基材とは、いくつかの平面や曲面によって囲まれ、三次元の空間に広がりを持つ物体である立体であればその材料は特に限定されるものではなく、人工の立体及び自然界で作られた立体を含むものである。具体的には、基材としては、動植物や人体を模した物体、オブジェのような抽象的な形状の物体、自動車やオートバイなどの車両、テレビや洗濯機などの電気製品、机、椅子、タンスなどの家具、流木や地上から離された枯れ木、自然石などが挙げられる。このうち、人体を模した基材であれば、基材は、胸像、トルソー、立像、座像など、動物の像であれば、基材は、立像、座像、伏せている像、動いている状態をもした像など、各種の形態に対応させるものであってよい。また、基材としては、平面あるいは曲面において、それらの面から膨出した立体や突出した立体が挙げられる。具体的には、基材としては、レリーフ状に面から膨出した（浮き出した）人や動植物あるいは上記した物体の正面、側面あるいは背面などから見た状態の凹凸のある部分（顔、頭部、胸部、胴部、さらには全身など）や、例えば胸像などを面から突出させたものなどが挙げられる。
【０００９】
本考案における表面材とは、基材に貼り付けられるものであれば、その材質及び形状は特に限定されるものではない。好ましくは、表面材は、基材の表面を構成する平面や曲面に容易にほぼ密着した状態で貼り付けられるものであればよく、具体的には、各種の材質の板状片、平面を有する基材より小なる立体、紙やフィルムなどの薄片などが挙げられる。
【００１０】
複数の表面材をほぼ全域にわたって貼り付けるとは、表面材間に目地となる基材の表面を残して表面材を貼り付けること、及び基材の特定の部分の表面を残してそれ以外の表面に表面材を貼り付けることを含むものである。特定の部分とは、あらかじめ基材に装飾などが施してあり、あるいは表面材を貼り付けた後に別部材を貼り付けるためにその部分は表面材を貼り付ける必要のない部分を指すものである。
【００１１】
このような構成であれば、彩色された複数の表面材を立体の基材に貼り付けているので、基材がその形状に即して表面材により着色されることになる。この場合、表面材の配色については、何ら制限されるものではないので、基材が同一形状であっても異なった美感を発揮するものになる。
【００１２】
基材の表面に例えば斑紋など特定の模様を作成し易くするためには、基材が、その表面に表面材を貼り付ける位置を特定する少なくとも一つの位置指定手段を備えるものが好ましい。このような位置指定手段としては、位置を設定する囲み部や位置を設定する線が挙げられる。囲み部とは、閉じた壁の内側の部分や凹部を含むものである。このような囲み部や線の場合、表面材をその内側に貼り付けることにより、特定の模様の一部あるいは全部を作成することができる。
【００１３】
基材としては、合成樹脂製、木製、金属製、ガラス製のものが挙げられる。このような基材において、その一部又は全部が合成樹脂製、木製、金属製、ガラス製ものであればよい。すなわち、合成樹脂製の基材としては、全てが合成樹脂により形成されたもの、及び合成樹脂により形成された部分を少なくとも有し、その他の部分をその他の素材、例えば金属、材木、ガラスなどにより構成するものを含むものである。つまり、合成樹脂製にあっては、合成樹脂を主となる素材とし、その他の素材を表面あるいは補強用に内部において併用して基材を形成するものである。木製、金属製及びガラス製の基材にあっても同様である。このような材質のものでは、基材として必要な強度を容易に設定できるとともに、加工が容易であるので大量に同一形状のものを製作することができる。
【００１４】
美感を多彩なものにさせるためには、複数の表面材が、色の異なるタイルを含んで構成されるものが好ましい。このようなタイルとしては、着色が容易な合成樹脂製で異なる形状のものを含んで構成されるものや、耐久性の高い陶磁器製で異なる形状のものを含んで構成されるもの、さらには一つの部材の中で多彩な着色も可能なガラス製で異なる形状のものを含んで構成されるものなどが挙げられる。異なる形状のものを含んで構成されるとは、貼り付けられるタイルが、形状の異なるものにより構成されるもの、及び形状の異なるものと矩形や多角形、円形などの同一形状（定形）のものが混在するものを含むものである。形状の異なるタイルとしては、無作為にその形状が形成された不定形のものが好ましい。このような不定形のタイルの場合、大きさの異なるものにすることがさらに好ましい。
【００１５】
例えば陶磁器製のタイルにあっては、いわゆるクラッシュタイルと呼ばれる正方形や長方形、さらには円形などの定形のものを割ることによって、形状が無作為に決定されたタイルが挙げられる。また、合成樹脂製のタイルは、このようなクラッシュタイルを原型として、クラッシュタイルを無作為に互いに離して並べておき、その上から例えばシリコンゴムを流し込んで型取りし、その型に合成樹脂を流し込んで作成するものである。合成樹脂製のタイルにあっては、型から取り出した後に、いわゆるバリと呼ばれる周囲の不要な部分を取り除いて整形して、取り扱い時の安全性を高めるものである。
【００１６】
加えて、複数の表面材としては、色の異なる薄片を含んで構成されるものであってもよい。複数の薄片は、可撓性を有する合成樹脂フィルム製の異なる形状のものを含んで構成されるものが好ましい。この場合にあっても、薄片の形状は、無作為に決定されたものが好ましく、矩形や多角形、円形などの定形を含むものであってもよい。このような表面材の場合、基材の表面の形状になじんで表面材を貼り付けることができる。
【００１７】
耐久性や美感を向上させるためには、基材に貼り付けられた表面材を透明な被覆材により被覆してなるものが好適である。この場合、被覆作業を容易にするためには、被覆材が、塗布した後に硬化することにより形成される薄膜であるものが好ましい。
【考案の効果】
【００１８】
本考案は、以上説明したような形態で実施され、以下に記載されるような効果を奏する。
【００１９】
すなわち、本考案の像は、彩色された複数の表面材を立体の基材に貼り付けているので、基材がその形状に即して表面材により着色されているもので、表面材の配色については、何ら制限されるものではないので、基材が同一形状であっても異なった美感を備えるものにすることができる。
【考案を実施するための最良の形態】
【００２０】
以下、本考案の一実施形態を、図１から図４を参照して説明する。
【００２１】
図１に示すこの実施形態の像１００は、立体の基材１として動物のトカゲを模したものを使用し、その基材１の表面１ａに彩色された複数の表面材である不定形のものを含んで構成される合成樹脂製のタイル２を、ほぼ全域にわたって貼り付けているものである。
【００２２】
基材１は、トカゲを模して塑像を作成し、その塑像に基づいて金型などで雌型を作成し、その雌型を用いて合成樹脂により作成する。この実施形態の基材１にあっては、その内部にも合成樹脂がある中実のものである。基材１は、中空であってもよく、その場合、その大きさに応じて適宜補強材をその内部に備えるものであってよい。また、トカゲの目に対応する特定の部分１ｂは、表面材としてのタイル２とは異なるタイルを貼り付けるかもしくは塗料により着色できるように形成してある。基材１の表面１ａは、例えば酢酸ビニル系の接着剤５が付着し易い状態であれば、その表面荒さは限定されない。つまり、基材１の表面１ａは、滑らかなものや微細な凹凸があるものいずれであってもよい。基材１の表面１ａの色は、目地が目立たないように、比較的くすんだ色が好ましく、例えば灰色にしてある。
【００２３】
複数のタイル２それぞれは、図３に示すような、陶磁器製のクラッシュタイルのように、平面視不定形のものが主となっている。このようなタイル２に、定形のものが混在していてもよい。タイル２は、例えばシリコンゴムにより作られた雌型に着色された合成樹脂を流し込み、硬化させた後、シリコンゴムの弾性を利用して雌型から取り外して製作する。そして、個々のタイル２については、成形時のバリを取り除いて、作業時のケガを防止するようにしておく。このようにして、一つの雌型あるいは複数の雌型を用いて、色の異なるタイル２を基材１の表面積に応じて必要となる量を十分に満たす量だけ準備する。タイル２はそれぞれ、一個に対して一色で彩色してあり、原色系の彩色のものと中間色系の彩色のものとを取り混ぜて製作する。この場合に、トカゲの体色を模して、例えば茶色を基本色として、その濃淡を調整したタイル２を複数準備するとともに、白色及び黒色を含んで各種の色のタイル２を準備するものである。これらのタイル２は、合成樹脂製であるので、いずれかの表面が彩色されているものではなく、その内部を含んで全体に彩色されており、表裏の区別がないものである。
【００２４】
このようなタイル２を基材１に貼り付けるための接着剤５としては、酢酸ビニル系接着剤に、炭酸カルシウム及びセメントを適量混合したものを使用する。これにより、酢酸ビニル系接着剤の白色がわずかながら灰色になる。したがって、タイル２を基材１の表面１ａに接着した場合に、余分な接着剤５が目地３の部分にはみ出しても目立たなくなるものである。しかも、炭酸カルシウムやセメントを混合することにより、その混合量に応じて接着剤５の粘度を高くすることができ、その取り扱いを容易なものにすることができる。それゆえ、年少者や高齢者、さらには知的障害者にあっても、タイル２の貼り付け作業を行えるものとなる。
【００２５】
この実施形態におけるトカゲの像１００は、次のような手順で作成する。
【００２６】
まず、基材１を作業台に載せ、その基材１の近傍に、上述のようにして準備した複数のタイル２を、散乱を防止するために、例えばバケツのような容器に一括して入れて置き、そのタイル２の近傍に接着剤５を置いておく。タイル２は、無作為に基材１のどの部分から貼り付けるものであってもよい。ただし、基材１の曲面部分に対しては、その曲面部分の湾曲の程度（曲率）に応じて、タイル２の大きさを選択する必要がある。
【００２７】
タイル２を貼り付ける位置が決まったなら、その位置に貼り付けるタイル２の色と大きさとを選択する。タイル２を貼り付ける位置が基材１の曲面の部分にあるのであれば、その曲面の部分からタイル２の裏面が浮かないような大きさ、言い換えればタイル２の裏面と基材１との接触面積が最も多くなるような大きさのタイル２を選択する。つまり、基材１のトカゲの鼻先に対応するような急激に湾曲する曲面部分では、大きなタイル２であると、タイル２の中央部分を基材１に接触させた状態でタイル２の周辺部分が浮いた状態になる。したがって、基材１のこのような曲面部分に対しては、小さめのタイル２を選択して貼り付けるものである。これとは反対に、緩やかに湾曲する曲面部分及び平面部分では、大きめのタイル２を使用した場合でも、上述のような基材１とタイル２との間に隙間が生じる可能性は小さくなる。それゆえ、このような曲面部分及び平面部分では、大きめのタイル２を多用することができる。
【００２８】
タイル２は、その裏面の全面にわたって接着剤５を適量塗布する。この後、接着剤５を塗布したタイルの接着剤を基材１に接触させた後、タイル２を基材１に対して押し付ける。この場合に、タイル２の裏面と基材１の表面１ａとの間に接着剤５が挟まれて、接着剤５がタイル２の周囲にはみ出してくる。このタイル２周囲にはみ出した接着剤５は、タイル２間の目地３の部分に入り込むので、ふき取る必要はない。すなわち、基材１に貼り付けるタイル２は、隣り合うタイル２同士が不定形である可能性が高いので、隣り合うタイル２同士の間には隙間すなわち目地３が形成される（図３）。したがって、それぞれのタイル２の周囲には目地３が形成され、その目地３の部分にそれぞれのタイル２に塗布された接着剤５のうち、タイル２の貼り付けに供しない接着剤５が押し出されて目地３の部分を埋めるものとなる。
【００２９】
以上の操作を繰り返し、タイル２を基材１の表面１ａのほぼ全面にわたって貼り付ける。つまり、基材１の表面１ａにタイル２を貼り付けていき、タイル２の間にタイル２を貼り付けるに十分な空地が残らないように、そのような空地にタイル２を貼り付けていき、タイル２により基材１の表面がほぼ露出しない状態にする。そして、タイル２間に目地３以外の空地が存在しない、つまりタイル２を貼り付ける基材１の表面１ａがなくなることにより、トカゲの形状をした像１００がほぼ完成する。
【００３０】
この実施形態では、このようにしてタイル２の貼り付けが完了し、目地３の部分からタイル２の表面に浮きあがっている余分の接着剤５を拭き取った後、タイル２を被覆するようにコーティング処理を行うものである。コーティング処理は、基材１にタイル２をほぼ全面に貼り付け、さらに特定の部分１ｂを処理した後、被覆材である例えばポリウレタン樹脂を、タイル２の表面及び目地３の部分に連続して塗布して行う。ポリウレタン樹脂は、塗布した後に硬化することにより薄膜６（図４）となり、タイル２が剥がれることや損傷することを防ぐものである。
【００３１】
このように、本実施形態によれば、立体の基材１に、彩色されたタイル２を貼り付けることによって、極めて容易に基材１に色付けを行うことができる。色付けは、複数のタイル２を使用して、創作者の意図を反映しているので、基材１の形状が同じものであってもそれぞれに異なる美感を発揮する像１００を制作することができる。また、彩色に加えて、個々のタイル２の形状が不定形で微妙に異なっており、しかも目地３により仕切られることにより、基材１の形状が同じであっても質感を相違させることができ、鑑賞者に様々な印象を提供することができる。
【００３２】
上述の実施形態においては、一つのタイル２は、単一の色で彩色されている例を示したが、合成樹脂の特性を利用して複数の色で彩色されているものであってもよい。つまり、異なる色の合成樹脂が混合することなく一つのタイルを作ることで、タイルは部分的に彩色が異なっているものである。
【００３３】
また、タイル２は、接着剤により基材１の表面１ａに貼り付けるものを説明したが、例えば合成ゴム系あるいはアクリル樹脂系粘着剤などの合成粘着剤を使用するものであってもよい。すなわち、基材１の表面１ａ、あるいはタイル２の一方の面に合成粘着剤を塗布しておき、タイル２の貼り付け作業まではその粘着剤層に剥離紙を貼り付けておく。そして、剥離紙を剥がした後に、タイル２を基材１に宛い、基材１の方向に圧力を加えてタイル２を基材１の表面１ａに貼り付けるものである。このような構成であれば、接着剤が皮膚、衣服、あるいは作業台などに付着することがないので、作業環境を汚すことなく作業を行うことができる。
【００３４】
なお、タイル２は、その厚みが必ずしも同一である必要はない。例えば、ワニを模した像を制作する場合、厚みの異なるタイルを使用することにより、ワニの質感を表現することが可能になるためである。このように、制作する像の表面の質感を考慮した場合に、適宜タイルの厚みについては設定するものであってよい。また、基材に貼り付けたタイルの上にさらに重ねてタイルを貼り付けるものであってもよい。
【００３５】
上述の実施形態では、合成樹脂製の基材１を説明したが、基材は、木製、金属製、ガラス製のいずれであってもよい。また、図５に示すように、基材１１がカタツムリを模したものである場合、殻、及び胴体部分を合成樹脂により形成し、大触角と目とに対応する触角部分１１ｄを金属あるいはガラスなどにて形成するものであってもよい。
【００３６】
また、タイルにあっても、合成樹脂製のもの以外に、陶磁器製やガラス製のものであってもよい。陶磁器製のタイルの場合、一般に市販されている定形のタイルを割って不定形にしたもの、あるいは工場から出荷されるまでに割れて不定形になったものなどを主に使用するものであってよい。このような陶磁器製のタイルにあっては、彩色された面が一方の表面であるので、基材に貼り付けるに際してその彩色された一方の表面を表にして貼り付けることは言うまでもない。また、ガラス製のタイルについては、作業時にけがしないように、角や縁を丸くしておくものが好ましい。ガラス製のタイルにあっては、有色透明のものを製作できるので、基材や接着剤を無色透明などのものにすれば、ステンドグラスのような雰囲気に仕上げることも可能である。しかも、基材にガラス製のタイルを貼り付けて制作できるので、特別な技術を必要とすることなく、像を完成させることができる。
【００３７】
次に、基材２１が、その表面２１ａに表面材を貼り付ける位置を特定する位置指定手段である囲み部２４を備えるものを説明する。なお、この形態において、囲み部２４は、基材２１の表面２１ａを窪ませた凹部により実現している。
【００３８】
図６に示すこの基材２１は、上記実施形態と同じにトカゲを模しているもので、トカゲの斑紋に対応して表面材が貼り付けられるように、他の表面２１ａより一段下がった囲み部２４を複数備えている。囲み部２４の数は特定したい表面材の貼り付け位置に対応させるので、そのような領域が一つの場合では囲み部２４は一つであってよい。囲み部２４の平面的な形状及び大きさは、模したトカゲの斑紋に近似させればよく、特に限定されるものではない。また、囲み部２４の深さは、使用する表面材が上述のタイル２の場合、タイル２を基材２１に貼り付けた状態で囲み部２４以外の部分との間に極端な段差を生じないような深さ、例えばタイル２の厚みの１／３以下とするものである。
【００３９】
このような構成において、囲み部２４には、例えば斑紋に対応する色調のタイル２を貼り付けるものである。具体的には、囲み部２４以外の基材２１の表面２１ａに茶色系統のタイル２を貼り付けたとすると、囲み部２４にはその周囲より濃い彩色あるいは薄い彩色のタイル２や、さらには補色のタイル２など、囲み部２４が斑紋として認識し易い色を当てはめるものである。
【００４０】
このように、あらかじめタイル２を貼り付ける領域を設定しておくと、像のデザイン、配色を促進させることができる。つまり、このような囲み部２４が設けてあると、その囲み部２４に他の部分とは異なる色、もしくは同系色であっても濃淡の異なる色のタイル２を容易に貼り付けることができる。そして、囲み部２４にそのようにしてタイル２を貼り付けると、基材２１の全体からして、これらの囲み部２４があらかじめデザインを考慮して設定されているので、際だった美感を演出することができる。このような囲み部２４を備える基材としては、キリンやヒョウさらにはシマウマなどの動物、熱帯魚などの魚を模したものが好適である。
【００４１】
このような囲み部２４は、凹部以外に、例えば線、好ましくは環状の自由曲線で設定するもの、あるいはその自由曲線に代わって設ける環状の凸条で設定するものである。
【００４２】
以上においては、表面材として厚みのあるタイルを説明したが、表面材としては、色が異なる薄片、具体的には、図７の示すような、異なる形状すなわちそれぞれが不定形をしている合成樹脂製フィルム片３２である。この可撓性を有する合成樹脂製フィルム片３２は、合成樹脂製の基礎片３２ａの一方の面に、例えば合成ゴム系あるいはアクリル樹脂系粘着剤などの合成粘着剤３２ｂを塗布しておき、その合成粘着剤３２ｂを塗布した粘着面に剥離紙３２ｃを貼り付けて形成してある。そして、合成樹脂製フィルム片３２を基材に貼り付ける場合は、剥離紙３２ｃを剥がして粘着面を露出させ、粘着面を基材の表面に密着させる。
【００４３】
このような合成樹脂製フィルム片３２の場合、タイルのような厚みがないので、隣り合うものを部分的に重ねて貼ることも可能である。したがって、合成樹脂製フィルム片３２間に目地を設けて本来の合成樹脂製フィルム片の形状を生かすこともできるし、あるいは相互に重ね合わせることにより新たな形状の合成樹脂製フィルム片とすることもでき、様々な外観を作成することができる。
【００４４】
このような合成樹脂製フィルム片３２にあっては、基礎片３２ａの一方の面に例えば合成ゴム系あるいはアクリル樹脂系粘着剤などの合成粘着剤３２ｂを塗布しておき、その合成粘着剤３２ｂを塗布した粘着面に剥離紙３２ｃを貼り付けておき、基材に貼り付ける際に剥離紙３２ｃを剥がして使用するものであってよい。これとは逆に、基材の表面に粘着剤を塗布しておき、合成樹脂製フィルム片３２を基材の表面に貼り付けるようにするものであってもよい。なお、粘着剤自体は、両面テープやクラフトテープなどのテープに使用されているものを使用するものであってよい。
【００４５】
その他、各部の具体的構成についても上記実施形態に限られるものではなく、本考案の趣旨を逸脱しない範囲で種々変形が可能である。
【図面の簡単な説明】
【００４６】
【図１】本考案の一実施形態を示す斜視図。
【図２】同実施形態の基材を示す斜視図。
【図３】同実施形態の複数のタイルの平面形状を示す平面図。
【図４】同実施形態の部分断面図。
【図５】本考案の他の基材を用いた像を示す斜視図。
【図６】本考案のさらに他の基材を示す斜視図。
【図７】本考案の他の表面剤を示す斜視図。
【符号の説明】
【００４７】
１…基材
１ａ…基材の表面
２…タイル
３…目地
２４…囲み部
３２…合成樹脂製フィルム片
【図１】
0003106437.tif 000003
【図２】
0003106437.tif 000004
【図３】
0003106437.tif 000005
【図４】
0003106437.tif 000006
【図５】
0003106437.tif 000007
【図６】
0003106437.tif 000008
【図７】
0003106437.tif 000009